【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】  少なくとも結着樹脂と着色剤からなるトナー粒子と、該トナー粒子表面に外添剤を有するトナーであって、
該外添剤は、レーザー回折型粒度分布計による体積粒度分布において、
１）０．０４〜１．０μｍと、
２）１．０〜５０μｍと、
３）５０〜２０００μｍの範囲に少なくともそれぞれピークを持つシリカ微粒子（ａ）を外添することを特徴とする非磁性一成分トナー。
【請求項２】  該トナー粒子１００質量部に対して該シリカ微粒子（ａ）が０．０５乃至３．０質量部使用することを特徴とする請求項１に記載のトナー。
【請求項３】  該外添剤のシリカ微粒子（ａ）が、シランカップリング剤処理と、またはシリコーンオイル処理が施された粒子であることを特徴とする請求項１又は２に記載のトナー。
【請求項４】  該外添剤のシリカ微粒子（ａ）のシランカップリング剤処理剤がヘキサメチレンジシランザン、メチルトリメトキシシラン、ヒドロキシプロピルトリメトキシシランより選ばれたものであることを特徴とする請求項３に記載のトナー。
【請求項５】  該外添剤は、レーザー回折型粒度分布計による体積粒度分布において、１）０．０４〜１．０μｍの粒子径に属する粒度頻度（Ｒ２）と、３）５０〜２０００μｍの粒子径に属する粒度頻度（Ｒ２）との関係が
０．１  ＞  Ｒ２／Ｒ１  ＞  ５．０
なる関係を満たすことを特徴とする請求項１乃至４のいずれかに記載のトナー。
【請求項６】  該シリカ微粒子（ａ）に加えて、ハイドロタルサイト類化合物を含有することを特徴とする請求項１乃至５のいずれかに記載のトナー。
【請求項７】  フロー式粒子像測定装置で計測されるトナーの個数基準の円相当径−円形度スキャッタグラムにおいて、該トナーの平均円形度が０．９２０〜０．９９５で、円形度標準偏差が０．０４０以下であることを特徴とする請求項１乃至６のいずれかに記載のトナー。
【請求項８】  フロー式粒子像測定装置で計測されるトナーの個数基準の円相当径−円形度スキャッタグラムにおいて、該トナーの平均円形度が０．９５０〜０．９９０で、円形度標準偏差が０．０４０以下であることを特徴とする請求項１乃至６のいずれかに記載のトナー。
【請求項９】  該トナー粒子が離型剤成分を含有することを特徴とする請求項１乃至８のいずれかに記載のトナー。
【請求項１０】  少なくとも結着樹脂と着色剤からなるトナー粒子と、該トナー粒子表面に外添剤を有するトナーであって、
該外添剤は、レーザー回折型粒度分布計による体積粒度分布において、
１）０．０４〜１．０μｍと、
２）１．０〜５０μｍの範囲に少なくともそれぞれピークを持つシリカ微粒子（ｂ）と、
２）１．０〜５０μｍと、
３）５０〜２０００μｍの範囲に少なくともそれぞれピークを持つシリカ微粒子（ｃ）の粒度分布の異なる２種類のシリカ微粒子を外添することを特徴とする非磁性一成分トナー。
【請求項１１】  該トナー粒子１００質量部に対して該シリカ微粒子（ｂ）が０．０５乃至２．０質量部、且つ、該シリカ微粒子（ｃ）が０．２乃至２．０質量部使用することを特徴とする請求項１０に記載のトナー。
【請求項１２】  該外添剤のシリカ微粒子（ｂ）が、シランカップリング剤処理が施され且つシリコーンオイル処理が施された粒子であり、シリカ微粒子（ｃ）が、シリコーンオイル処理が施された粒子であることを特徴とする請求項１０または１１に記載のトナー。
【請求項１３】  該外添剤のシリカ微粒子（ｂ）のシランカップリング剤処理剤がヘキサメチレンジシランザン、メチルトリメトキシシラン、ヒドロキシプロピルトリメトキシシランより選ばれたものであることを特徴とする請求項１２に記載のトナー。
【請求項１４】  該外添剤は、レーザー回折型粒度分布計による体積粒度分布において、１）０．０４〜１．０μｍの粒子径に属する粒度頻度（Ｒ２）と、３）５０〜２０００μｍの粒子径に属する粒度頻度（Ｒ２）との関係が
０．１  ＞  Ｒ２／Ｒ１  ＞  ５．０
なる関係を満たすことを特徴とする請求項１０乃至１３のいずれかに記載のトナー。
【請求項１５】  該シリカ微粒子（ｂ）とシリカ微粒子（ｃ）に加えて、ハイドロタルサイト類化合物を含有することを特徴とする請求項１０乃至１４のいずれかに記載のトナー。
【請求項１６】  フロー式粒子像測定装置で計測されるトナーの個数基準の円相当径−円形度スキャッタグラムにおいて、該トナーの平均円形度が０．９２０〜０．９９５で、円形度標準偏差が０．０４０以下であることを特徴とする請求項１０乃至１５のいずれかに記載のトナー。
【請求項１７】  フロー式粒子像測定装置で計測されるトナーの個数基準の円相当径−円形度スキャッタグラムにおいて、該トナーの平均円形度が０．９５０〜０．９９０で、円形度標準偏差が０．０４０以下であることを特徴とする請求項１０乃至１５のいずれかに記載のトナー。
【請求項１８】  該トナー粒子が離型剤成分を含有することを特徴とする請求項１０乃至１７のいずれかに記載のトナー。
【請求項１９】  少なくともトナー規制部材、トナー供給部材、静電潜像担持体、転写部材からなる接触現像方式の画像形成方法において、
使用されるトナーが少なくとも結着樹脂と着色剤からなるトナー粒子と、該トナー粒子表面に外添剤を有するトナーであって、
該外添剤は、レーザー回折型粒度分布計による体積粒度分布において、
１）０．０４〜１．０μｍと、
２）１．０〜５０μｍと、
３）５０〜２０００μｍの範囲に少なくともそれぞれピークを持つシリカ微粒子（ａ）を外添することを特徴とする非磁性一成分トナーであることを特徴とする画像形成方法。
【請求項２０】  該トナー供給部材が弾性ローラであり、該弾性ローラの硬度が２０〜６５度であることを特徴とする請求項１９に記載の画像形成方法。
【請求項２１】  該トナー供給部材上のトナー層のコート量が０．２ｍｇ／ｃｍ2以上、１．０ｍｇ／ｃｍ2以下であることを特徴とする請求項１９又は２０に記載の画像形成方法。
【請求項２２】  該トナー粒子１００質量部に対して該シリカ微粒子（ａ）が０．０５乃至３．０質量部使用することを特徴とする請求項１９乃至２１のいずれかに記載の画像形成方法。
【請求項２３】  該外添剤のシリカ微粒子（ａ）が、シランカップリング剤処理と、またはシリコーンオイル処理が施された粒子であることを特徴とする請求項１９乃至２２のいずれかに記載の画像形成方法。
【請求項２４】  該外添剤のシリカ微粒子（ａ）のシランカップリング剤処理剤がヘキサメチレンジシランザン、メチルトリメトキシシラン、ヒドロキシプロピルトリメトキシシランより選ばれたものであることを特徴とする請求項１９乃至２３のいずれかに記載の画像形成方法。
【請求項２５】  該外添剤は、レーザー回折型粒度分布計による体積粒度分布において、１）０．０４〜１．０μｍの粒子径に属する粒度頻度（Ｒ２）と、３）５０〜２０００μｍの粒子径に属する粒度頻度（Ｒ２）との関係が
０．１  ＞  Ｒ２／Ｒ１  ＞  ５．０
なる関係を満たすことを特徴とする請求項１９乃至２４のいずれかに記載の画像形成方法。
【請求項２６】  該シリカ微粒子（ａ）に加えて、ハイドロタルサイト類化合物を含有することを特徴とする請求項１９乃至２５のいずれかに記載の画像形成方法。
【請求項２７】  フロー式粒子像測定装置で計測されるトナーの個数基準の円相当径−円形度スキャッタグラムにおいて、該トナーの平均円形度が０．９２０〜０．９９５で、円形度標準偏差が０．０４０以下であることを特徴とする請求項１９乃至２６のいずれかに記載の画像形成方法。
【請求項２８】  フロー式粒子像測定装置で計測されるトナーの個数基準の円相当径−円形度スキャッタグラムにおいて、該トナーの平均円形度が０．９５０〜０．９９０で、円形度標準偏差が０．０４０以下であることを特徴とする請求項１９乃至２６のいずれかに記載の画像形成方法。
【請求項２９】  該トナー粒子が離型剤成分を含有することを特徴とする請求項１９乃至２８のいずれかに記載の画像形成方法。
【請求項３０】  少なくともトナー規制部材、トナー供給部材、静電潜像担持体、転写部材からなる接触現像方式の画像形成方法において、
使用されるトナーが少なくとも結着樹脂と着色剤からなるトナー粒子と、該トナー粒子表面に外添剤を有するトナーであって、
該外添剤は、レーザー回折型粒度分布計による体積粒度分布において、
１）０．０４〜１．０μｍと、
２）１．０〜５０μｍの範囲に少なくともそれぞれピークを持つシリカ微粒子（ｂ）と、
２）１．０〜５０μｍと、
３）５０〜２０００μｍの範囲に少なくともそれぞれピークを持つシリカ微粒子（ｃ）の粒度分布の異なる２種類のシリカ微粒子を外添することを特徴とする非磁性一成分トナーであることを特徴とする画像形成方法。
【請求項３１】  該トナー供給部材が弾性ローラであり、該弾性ローラの硬度が２０〜６５度であることを特徴とする請求項３０に記載の画像形成方法。
【請求項３２】  該トナー供給部材上のトナー層のコート量が０．２ｍｇ／ｃｍ2以上、１．０ｍｇ／ｃｍ2以下であることを特徴とする請求項３０又は３１に記載の画像形成方法。
【請求項３３】  該トナー粒子１００質量部に対して該シリカ微粒子（ｂ）が０．０５乃至２．０質量部、且つ、該シリカ微粒子（ｃ）が０．２乃至２．０質量部使用することを特徴とする請求項３０乃至３２のいずれかに記載の画像形成方法。
【請求項３４】  該外添剤のシリカ微粒子（ｂ）が、シランカップリング剤処理が施され且つシリコーンオイル処理が施された粒子であり、シリカ微粒子（ｃ）が、シリコーンオイル処理が施された粒子であることを特徴とする請求項３０乃至３３のいずれかに記載の画像形成方法。
【請求項３５】  該外添剤のシリカ微粒子（ｂ）のシランカップリング剤処理剤がヘキサメチレンジシランザン、メチルトリメトキシシラン、ヒドロキシプロピルトリメトキシシランより選ばれたものであることを特徴とする請求項３４に記載の画像形成方法。
【請求項３６】  該外添剤は、レーザー回折型粒度分布計による体積粒度分布において、１）０．０４〜１．０μｍの粒子径に属する粒度頻度（Ｒ２）と、３）５０〜２０００μｍの粒子径に属する粒度頻度（Ｒ２）との関係が
０．１  ＞  Ｒ２／Ｒ１  ＞  ５．０
なる関係を満たすことを特徴とする請求項３０乃至３５のいずれかに記載の画像形成方法。
【請求項３７】  該シリカ微粒子（ｂ）とシリカ微粒子（ｃ）に加えて、ハイドロタルサイト類化合物を含有することを特徴とする請求項３０乃至３６のいずれかに記載の画像形成方法。
【請求項３８】  フロー式粒子像測定装置で計測されるトナーの個数基準の円相当径−円形度スキャッタグラムにおいて、該トナーの平均円形度が０．９２０〜０．９９５で、円形度標準偏差が０．０４０以下であることを特徴とする請求項３０乃至３７のいずれかに記載の画像形成方法。
【請求項３９】  フロー式粒子像測定装置で計測されるトナーの個数基準の円相当径−円形度スキャッタグラムにおいて、該トナーの平均円形度が０．９５０〜０．９９０で、円形度標準偏差が０．０４０以下であることを特徴とする請求項３０乃至３７のいずれかに記載の画像形成方法。
【請求項４０】  該トナー粒子が離型剤成分を含有することを特徴とする請求項３０乃至３９のいずれかに記載の画像形成方法。
【手続補正２】
【補正対象書類名】明細書
【補正対象項目名】００１５
【補正方法】変更
【補正の内容】
【００１５】
すなわち、少なくとも結着樹脂と着色剤からなるトナー粒子と、該トナー粒子表面に外添剤を有するトナーであって、
該外添剤は、レーザー回折型粒度分布計による体積粒度分布において、
１）０．０４〜１．０μｍと、
２）１．０〜５０μｍと、
３）５０〜２０００μｍの範囲に少なくともそれぞれピークを持つシリカ微粒子（ａ）を外添することを特徴とする非磁性一成分トナー、及び画像形成方法によって上記の如き問題を解決することを見出した。
【手続補正３】
【補正対象書類名】明細書
【補正対象項目名】００１６
【補正方法】変更
【補正の内容】
【００１６】
また、トナー粒子と、該トナー粒子表面に外添剤を有するトナーであって、
該外添剤は、レーザー回折型粒度分布計による体積粒度分布において、
１）０．０４〜１．０μｍと、
２）１．０〜５０μｍの範囲に少なくともそれぞれピークを持つシリカ微粒子（ｂ）と、
２）１．０〜５０μｍと、
３）５０〜２０００μｍの範囲に少なくともそれぞれピークを持つシリカ微粒子（ｃ）の粒度分布の異なる２種類のシリカ微粒子を外添することを特徴とする非磁性一成分トナー、及び画像形成方法によっても同様の効果が発現することを見出した。
【手続補正４】
【補正対象書類名】明細書
【補正対象項目名】００１９
【補正方法】変更
【補正の内容】
【００１９】
本発明のトナーは、少なくとも結着樹脂と着色剤からなるトナー粒子と、該トナー粒子表面に外添剤を有するトナーであって、
該外添剤は、レーザー回折型粒度分布計による体積粒度分布において、
１）０．０４〜１．０μｍと、
２）１．０〜５０μｍと、
３）５０〜２０００μｍの範囲に少なくともそれぞれピークを持つシリカ微粒子（ａ）を外添することを特徴とする非磁性一成分トナー及び、該トナーを使用する画像形成方法である。
【手続補正５】
【補正対象書類名】明細書
【補正対象項目名】００２１
【補正方法】変更
【補正の内容】
【００２１】
本発明のトナーは、少なくとも結着樹脂と着色剤からなるトナー粒子と、該トナー粒子表面に外添剤を有するトナーであって、
該外添剤は、レーザー回折型粒度分布計による体積粒度分布において、
１）０．０４〜１．０μｍと、
２）１．０〜５０μｍの範囲に少なくともそれぞれピークを持つシリカ微粒子（ｂ）と、
２）１．０〜５０μｍと、
３）５０〜２０００μｍの範囲に少なくともそれぞれピークを持つシリカ微粒子（ｃ）の粒度分布の異なる２種類のシリカ微粒子を外添することを特徴とする非磁性一成分トナー及び、該トナーを使用する画像形成方法である。